(57)【要約】本発明は磁区拡大光磁気記録媒体から情報を読み込む方法及び装置に関する。ここで外部磁界のデューティサイクルが、読み出し層における前記拡大された磁区の持続時間が磁区崩壊方向の持続時間よりも長くなるように設定される。検出システムのより小さい帯域幅がかくして可能となり、信号−ノイズ比が改善される。更に、可能な限り短い拡大及び崩壊パルスを得るため、拡大方向と消去方向との間の外部磁界について、付加的なレベルが導入されても良い。改善された解像度及びＳＮＲがかくして得られることができる。
2004522251.tif 000002
【特許請求の範囲】
【請求項１】
記憶層及び読み出し層を有する光磁気記録媒体から情報を読み込む方法であって、前記方法は、
書き込まれたマークを、レーザ加熱の際に外部磁界の助力により、前記記憶層から前記読み出し層へコピーし、かくして前記読み出し層に拡大された磁区を形成するステップと、
前記外部磁界の方向を反転することにより、前記読み出し層から前記拡大された磁区を除去するステップと、
前記読み出し層における前記拡大された磁区の持続時間が、前記除去の方向の持続時間よりも長くなるように、前記外部磁界のデューティサイクルを設定するステップと、
を有する方法。
【請求項２】
所定の時間の後に、前記外部磁界のレベルを、コピー又は拡大レベルから減少された安定レベルへ変化させるステップを更に有し、前記安定レベルはコピー閾値よりも低く設定される、請求項１に記載の方法。
【請求項３】
前記安定レベルはゼロレベル又はゼロレベルより低く設定される、請求項２に記載の方法。
【請求項４】
前記所定の時間は、読み込みシステムの上限周波数に従って設定される、請求項２又は３に記載の方法。
【請求項５】
前記除去の方向の持続時間は、読み込みシステムの上限周波数に従って設定される、請求項２乃至４のいずれか一項に記載の方法。
【請求項６】
ビット長及び除去の方向の持続時間に対する、検出のために利用可能な時間は、以下の式：
ｄｅｔ＝（ｂ−ｃｏｌｌ）／ｖ
に従い、ここでｄｅｔは前記検出のために利用可能な時間を示し、ｂは前記ビット長を示し、ｃｏｌｌは、対応する長さを得るためにディスクの速度ｖによって乗算された、前記除去の方向の持続時間を示す、請求項１乃至５のいずれか一項に記載の方法。
【請求項７】
前記所定の時間は、以下の式：
ｅｘｐｍａｘ＝２ｂｍｉｎ−ｂ↑−ｗｍａｘ
に従って設定され、ここでｅｘｐｍａｘは前記所定の時間の最大値を示し、ｂｍｉｎは前記光磁気記録媒体における最小のビット長を示し、ｗｍａｘはコピーウィンドウの最大の空間的なサイズを示し、ｂ↑は前記書き込まれたマークの長さを示す、請求項２乃至６のいずれか一項に記載の方法。
【請求項８】
前記コピーするステップを開始するため、前記拡大方向における前記外部磁界に重畳された付加的なパルス型の磁界を印加するステップを更に有する、請求項１乃至７のいずれか一項に記載の方法。
【請求項９】
前記外部磁界のレベルを、コピーレベルから減少された安定レベルへ連続的に減少するように変化させるステップを更に有し、前記安定レベルはコピー閾値よりも低く設定される、請求項１又は２に記載の方法。
【請求項１０】
前記連続的な減少は指数関数的な減衰である、請求項９に記載の方法。
【請求項１１】
前記コピーするステップを実行するため、前記外部磁界の切り換えの後にオーバーシュートを利用するステップを更に有する、請求項１又は２に記載の方法。
【請求項１２】
記憶層及び読み出し層を有する光磁気記録媒体から情報を読み込む読み込み装置であって、
書き込まれたマークを、レーザ加熱の際に外部磁界の助力により、前記記憶層から前記読み出し層にコピーし、かくして前記読み出し層に拡大された磁区を形成し、前記外部磁界を反転することにより前記読み出し層から前記拡大された磁区を除去する読み込み手段と、
前記読み出し層における前記拡大された磁区の持続時間が、前記除去の方向の持続時間よりも長くなるように、前記外部磁界のデューティサイクルを設定する設定手段と、
を有する読み込み装置。
【請求項１３】
前記設定手段は、所定の時間の後に、前記外部磁界のレベルを、コピーレベルから減少された安定レベルへ変化させるように構成され、前記安定レベルは、コピー閾値よりも低く設定される、請求項１２に記載の装置。
【請求項１４】
前記読み込み手段は、前記コピーをする処理を開始するための、前記外部磁界及び付加的なパルス型の磁界を生成する二重コイル構成を有する、請求項１２又は１３に記載の装置。
【請求項１５】
前記付加的なパルス型の磁界は前記記録媒体の垂線に対して傾けられている、請求項１４に記載の装置。
【請求項１６】
前記読み込み装置は、ＭＡＭＭＯＳディスクのためのディスクプレイヤである、請求項１０乃至１５のいずれか一項に記載の装置。
【発明の詳細な説明】
【技術分野】
【０００１】
本発明は、記録層即ち記憶層及び拡大層即ち読み出し層を有する、ＭＡＭＭＯＳ（Magnetic AMplifying Magneto-Optical System、磁気増幅光磁気システム）ディスクのような、光磁気記録媒体から情報を読み込むための方法及び装置に関する。
【背景技術】
【０００２】
光磁気記憶システムにおいては、記録されるマークの最小の幅は回折限界、即ちフォーカスレンズの開口数（ＮＡ）及びレーザの波長によって決定される。前記幅の減少は一般に、より短い波長のレーザとより高いＮＡのフォーカス用光学系に基づく。光磁気記録の間、最小のビット長はレーザパルス磁界変調（ＬＰ−ＭＦＭ）を利用することにより、回折限界より低く減少させられることができる。ＬＰ−ＭＦＭにおいては、磁界の切り換え、及びレーザの切り換えによって引き起こされる温度勾配によって、ビット遷移が決定される。この方法で記録された小さな三日月型のマークの読み出しのために、磁気超解像（Magnetic Super Resolution、ＭＳＲ）又は磁区拡大（Domain Expansion、ＤｏｍＥｘ）法が利用される必要がある。これらの技術は、幾つかの静磁結合又は交換結合されたＲＥ−ＴＭ層を持つ記録媒体に基づく。ＭＳＲによれば、光磁気ディスク上の読み出し層は、磁区拡大によってスポットの中央における磁区が拡大されている間、読み出しの間隣接するビットをマスクするように構成される。ＭＳＲに対する磁区拡大手法の利点のため、回折限界を下回る長さを持つビットは、回折限界のスポットと同等のサイズを持つビットと同様の信号−ノイズ比（ＳＮＲ）で検出されることができる。ＭＡＭＭＯＳは、静磁結合された記憶層及び読み出し層に基づく磁区拡大方法であり、ここでは前記読み出し層における拡大及び拡大された磁区の崩壊のために磁界変調が利用される。
【０００３】
従って、ＭＡＭＭＯＳのような上述の磁区拡大手法においては、前記記憶層から書き込まれたマークが外部磁界の助力によってレーザ加熱時に前記読み出し層にコピーされる。該読み出し層の低い保磁力のため、前記コピーされたマークは光スポットを満たすように拡大し、前記マークのサイズには依存しない飽和した信号レベルを伴って検出される。前記外部磁界の反転は前記拡大された磁区を崩壊させる。一方、前記記憶層における空白はコピーされず、拡大も起こらない。
【０００４】
ＭＡＭＭＯＳ読み出し処理の分解能、即ち近隣のビットからの干渉なしに再生されることができる最小のビットサイズは、前記コピー処理の空間的な範囲、即ち所謂コピー又は検出ウィンドウによって制限される。該コピーウィンドウは、前記読み出しレーザパワーが低下させられると減少する。一方、前記コピー処理を可能とするため最小限のレーザパワーが必要とされる。従って、高い記憶密度に到達するために前記コピーウィンドウは可能な限り小さいべきであることは明白である。このことは、例えば高いＮＡ（開口数）の光学系及び短い波長のレーザ光を用いて、非常に局所化された鋭い温度プロファイルを利用することにより達成されることができる。
【０００５】
一般に、正常なＭＡＭＭＯＳ読み出しは、前記最小のレーザパワーよりも大きなレーザパワーを必要とし、一方近隣のビットの干渉は付加的な誤ったＭＡＭＭＯＳ信号、即ち所謂「ダブルピーク（double peaks）」に導くため回避されるべきである。長い連続的なマーク領域は、減少された漏れ磁界（stray field）のため前記マーク領域の中心の近くにおける失われたＭＡＭＭＯＳピークに導くため、反対の磁化を持つ前記マーク領域内の小さな範囲（非マーク領域又は空白領域）が例えば特開２０００−２６００７９に提案されるように導入されている。
【０００６】
欧州特許公開ＥＰ０９１３８１８Ａ１又は欧州特許公開ＥＰ０９１５４６２Ａにおいて、前記拡大された磁区が完全に除去されることを確実にするため、前記外部磁界のデューティサイクルを変化させることが提案されている。とりわけ、拡大即ち上方の持続時間は、崩壊即ち下方の持続時間よりも小さくなるように選択される。
【発明の開示】
【発明が解決しようとする課題】
【０００７】
しかしながら、ＭＡＭＭＯＳ記録媒体の読み出し処理において、方形磁界（square magnetic field）の場合において典型的に全体のビット周期の５０％よりも小さい持続時間を持つ、強いが短い信号としてマークが出現する。このことは、高速な検出処理が必要とされ、検出の電子回路の帯域幅が増加される必要があり、信号−ノイズ比（ＳＮＲ）を悪化させることを意味する。言い換えると、データレートを犠牲にしてより高い密度が得られる。
【０００８】
それ故本発明の目的は、ＳＮＲの改善が可能な、磁区拡大記録媒体からの読み出しのための方法及び装置を提供することにある。
【課題を解決するための手段】
【０００９】
本目的は、請求項１に記載の方法によって、及び請求項１２に記載の装置によって達成される。
【００１０】
前記磁区拡大の増加された持続時間はかくして検出のために利用可能な増加された時間に導き、それ故ＳＮＲを増加させる。拡大方向の持続時間又は拡大のための部分の増加は、拡大速度に対応する磁区崩壊速度が十分に速い場合に可能であり、このことは最近のシミュレーション及び実験によって実証されている。更に、必要とされる磁界の高速な切り換えを可能にするために磁界コイルに課せられるより厳しい要求は、例えば前記コイルの製造のためのガラス又はシリコンのスライダのような薄膜技術を利用することにより満足させられることができる。
【００１１】
有利な更なる発展により、前記拡大方向の外部磁界のレベルは、所定の期間の後、コピーレベルから減少された安定レベルに変化されても良い。ここで前記安定レベルは前記コピー閾値よりも低く設定される。前記安定レベルは、０レベル又はほんの少しのレベルに設定されても良い。更に、前記所定の期間は、前記安定レベル及び／又は除去方向の持続間隔より短く、好ましくは読み込みシステムが該システムの上限の周波数に従って許容するだけ短く設定されても良い。検出のための時間及びそれ故ＳＮＲを最適化するため、同様のことが前記崩壊の期間にも当てはまる。従って、コピー及び拡大パルスの後、前記外部磁界の強度は前記コピー閾値よりも低く減少されるが、前記拡大された磁区の崩壊のために必要とされる反対の極性に反転されないか、又は完全には反転されない。拡大の間、磁区壁はより低い温度と増加された壁の保磁力を持つ領域に移動される。前記外部磁界が前記コピー閾値よりも低い値に減少された場合若しくはオフにされた場合又はわずかに反転された場合、該領域におけるより高い壁の保磁力は、前記磁区を拡大させる傾向がある消磁エネルギーと共に、前記磁区のサイズを安定させ、より長い時間検出を可能にする。前記検出システムの帯域幅は従って、より高いＳＮＲを達成するため減少されることができる。
【００１２】
小さなコピー及び拡大期間は、記録密度が改善される、又は拡大された前記コピーウィンドウという利点に導く。なぜなら近隣の磁区又はビットの影響が減少されるからである。
【００１３】
更に、前記拡大方向における前記外部磁界に重畳された付加的なパルス型の磁界が、前記コピーのステップを開始するために印加されることができる。分離した重畳されたパルスの磁化方向は従って、前記コピーの動作のために最適化されることができる。とりわけ、トラック方向に沿って傾けられた磁界方向が好ましい。前記分離したパルスは、二重コイル構成の付加的なコイルによって生成されることができる。読み取り装置の読み取り手段は、前記外部磁界及び前記付加的なパルス型の傾けられた磁界を生成するため、該二重コイル構成を有しても良い。
【００１４】
前記外部磁界のレベルの減少は、前記外部磁界を前記コピーレベルから前記安定レベルに連続的に変化させることにより達成されることもできる。この場合、前記連続的な減少は指数関数的な減衰であっても良い。代わりとして、前記外部磁界の切り換えの後のオーバーシュート（overshoot）が、前記コピーのステップを実行するために利用されることができる。二重レベルのコピー／拡大及び安定化磁化の単純な実装がかくして提供されることができる。
【００１５】
前記読み取り装置の設定手段は、前記外部磁界のレベルの変化を実行するように構成されても良い。
【００１６】
本発明のこれらの及び他の態様は、以下に説明される実施例を参照しながら明らかとなり説明されるであろう。
【発明を実施するための最良の形態】
【００１７】
好適な実施例が、図１に示すようにＭＡＭＭＯＳディスクプレイヤに基づいて以下に説明される。
【００１８】
図１は、前記ディスクプレイヤの構成を図示する。前記ディスクプレイヤは、光磁気ディスクのような光磁気記録媒体１０の照射のためのレーザ光放射部を持つ光ピックアップユニット３０を有する。ここで前記光は、記録の間、コードデータと同期する周期を持つパルスに変換されている。また前記ディスクプレイヤは、光磁気記録媒体１０における記録及び再生の時、制御された方法で磁界を印加する磁気ヘッド１２を持つ磁界印加部をも有する。光ピックアップユニット３０において、レーザはレーザ駆動ユニットに接続される。該レーザ駆動ユニットは、光ピックアップユニット３０のレーザのパルス振幅及び位相を制御するための記録パルス調節ユニット３２からの記録パルスを受信する。記録パルス調節回路３２は、ＰＬＬ（Phase Locked Loop）回路を有しても良いクロック生成器２６からのクロック信号を受信する。
【００１９】
単純さのため、図１において磁気ヘッド１２と光ピックアップユニット３０とはディスク１０の反対側に示されていることは留意されるべきである。しかしながら、好適な実施例によれば、これらはディスク１０の同じ側に配置されるべきである。
【００２０】
磁気ヘッド１２はヘッド駆動ユニット１４に接続され、記録時に位相調節回路１８を介して変調器２４からコード変換されたデータを受信する。変調器２４は入力記録データを所定のコードに変換する。
【００２１】
再生時、ヘッド駆動器１４は再生調節回路２０を介してクロック生成器２６からクロック信号を受信する。再生調節回路２０は、磁気ヘッド１２に印加される位相及びパルス振幅を調節するための同期信号を生成する。記録／再生スイッチ１６は、記録時及び再生時にヘッド駆動器１４に供給されるべきそれぞれの信号を切り換える又は選択するために具備される。
【００２２】
更に、光ピックアップユニット３０は、光磁気記録媒体１０から反射されたレーザ光を検出し、デコーダ２８に供給される対応する読み取り信号を生成するための検出器を有する。デコーダ２８は、出力データを生成するために読み取り信号をデコードするように構成される。更に、光ピックアップユニット３０によって生成された読み取り信号はクロック生成器２６に供給される。クロック生成器２６においては、クロック信号が光磁気記録媒体１０の型押しされたクロックマークから抽出される。クロック生成器２６は同期の目的のため、記録パルス調節回路３２、再生調節回路２０及び変調器２４に前記クロック信号を供給する。とりわけ、データチャネルクロックが、クロック生成器２６のＰＬＬ回路において生成されても良い。
【００２３】
データ記録の場合、光ピックアップユニット３０のレーザは、前記データチャネルクロックの周期に対応する一定の周波数を用いて変調され、回転する光磁気記録媒体１０のデータ記録領域又はスポットは、等距離で局所的に加熱される。加えて、クロック生成器２６によって出力される前記データチャネルクロックは、標準的なクロック周期を持つデータ信号を生成するため、変調器２４を制御する。前記記録データは、前記記録データの情報に対応するバイナリのランレングス情報を得るため、変調器２４によって変調されコード変換される。
【００２４】
光磁気記録媒体１０の構造は、特開２０００−２６００７９に記載された構造に相当しても良い。
【００２５】
第１の好適な実施例によれば、再生調節回路２０は、前記外部磁界の拡大方向の増加された持続時間を提供するため、ヘッド駆動器１４を介して磁気ヘッド１２のコイルに供給された読み取り信号のデューティサイクルを設定するように構成される。かくして、検出処理のために利用可能な時間を増加させるために、拡大のための時間部分が増加される。このことは同様にＳＮＲの増加に導く。
【００２６】
図２Ａは外部磁界の５０％のデューティサイクルを用いる既知の読み出し戦略を示す。従って、前記外部磁界の拡大方向の持続時間は、前記外部磁界の崩壊即ち除去の持続時間と等しい。この場合、正しい読み出しのためのコピーウィンドウｗの最大の許容されるサイズはｂ／２に等しく、検出のために利用可能な時間は（ディスクの線速度によって割られた）ｂ／２に等しい。
【００２７】
図２Ｂの図において示されるような、前記外部磁界のコピー及び拡大方向の持続時間の増加は、検出のために利用可能な時間を増加する。ヘッド駆動ユニット１４によって必要とされる前記磁界のより高い変調周波数は、数百ＭＨｚの周波数まで動作することが実証されている薄膜コイルを利用することにより実施化されることができる。前記デューティサイクルの設定は、対応するアナログ若しくはデジタル切り換えによって、又は再生調節回路２０中に具備されたタイマー回路によって実行されても良い。
【００２８】
図３は、３つのレベルを持つ外部磁界が利用される、第２の好適な実施例による読み出し戦略を示す。コピーレベルにおける比較的短いコピー及び拡大周期ｅｘｐの後、前記外部磁界の強度は第２のレベル、即ち安定レベルに減少される。該安定レベルは前記コピー閾値よりも低いが、前記拡大された磁区の崩壊のために必要とされる反対の極性に反転はされていない。前記安定磁界は、０レベル又はわずかに下回るレベルまで減少されても良い、即ちオフにされる又はわずかに反転されても良いことは留意されるべきである。なぜなら、消磁エネルギーを持つより低い温度領域におけるより高い壁の保磁力が、磁区のサイズを安定させ、より長い時間の間検出を可能とするであろうからである。前記安定レベルにおける安定周期の後、十分なレベルの反対の極性即ち反対の磁化方向を持つ持続時間ｃｏｌｌの短い崩壊パルスが、次のマークのＭＡＭＭＯＳ検出のための初期化として供給される。前記拡大及び崩壊パルスはかくして、最高の解像度及びＳＮＲを得るために、可能なだけ短く保持されることができる。なぜなら、近隣の磁区の影響が減少されることができるからである。しかしながら、前記拡大及び崩壊の持続時間は、前記読み出し層における前記磁区の完全な拡大及び崩壊を可能とするために十分に長いべきである。
【００２９】
図３は、記録されたマークと、隣接する磁区の影響を防ぐために十分に小さいサイズの示されたコピーウィンドウｗを伴う記憶層を示す。このことは、オーバーラップしている領域を示さず、ＭＡＭＭＯＳ信号における付加的な望まれない拡大もない、オーバーラップ信号ＭＯ（移動するコピーウィンドウの繰り込み及び前記記憶層におけるビットの漏れ磁界）によって示される。この場合、図２Ａ及び図２Ｂにおける図と比較して、検出のために利用可能な時間及びコピーウィンドウｗの最大の許容されるサイズは増加される。
【００３０】
図４は図３におけるものと同様の読み出し戦略に関連する他の図を示す。ここでは、より長い空白又は部分空間部分ｂ↓によって後続される一連の短いマーク部分ｂ↑として、マークが前記記憶層に記録される。この書き込み戦略によれば、複数のビットを有する長いマーク領域であっても、該長いマーク領域の中心における増加された漏れ磁界及びより長いコピーウィンドウｗの可能性のため検出されることができる。このことは、長さｂの各マークチャネルビットが短いマーク部分ｂ↑及びより長い空白部分ｂ↓から成るような書き込み戦略と共に３つのレベルの前記外部磁界によって達成される、短い拡大持続時間及び崩壊持続時間のため達成されることができる。
【００３１】
一般に、コピーウィンドウ（パワーマージンに直接関連する）、解像度、及び検出のために利用可能な時間における改善を算出するために、以下の規則が利用されることができる：
ｗｍａｘ＝ｂ＋ｂ↓−ｅｘｐ＝２ｂ−ｂ↑−ｅｘｐ
ここで、ｗｍａｘは前記コピーウィンドウの最大長を示し、ｅｘｐは前記外部磁界が前記記憶層からのビットを前記読み出し層に凝集し拡大するために十分に大きい間の時間である拡大時間を示す（対応する長さを得るために前記ディスクの速度ｖによって乗算されている）。最小のチャネルビット長は以下のように算出されることができる：
ｂｍｉｎ＝[ｗ＋ｂ↑＋ｅｘｐ]／２
検出時間は以下によって与えられる：
検出時間＝[ｂ−ｃｏｌｌ]／ｖ＝[ｅｘｐ＋ｓｔａｂ]／ｖ
ここでｃｏｌｌは崩壊時間（対応する長さを得るために前記ディスクの速度ｖによって乗算されている）であり、ｓｔａｂは安定磁界の持続時間（対応する長さを得るために前記ディスクの速度ｖで乗算されている）である。
【００３２】
図５は、第３の好適な実施例による読み出し戦略の信号図を示す。ここでは、付加的なパルス型の外部磁界が、前記記憶層から前記読み出し層へのマークのコピー処理の開始又は実行のために印加される。前記読み出し層における磁区の拡大、安定及び崩壊のために、記録媒体１０と垂直の方向を持つ外部磁界が最適である。しかしながら、記録媒体１０のトラック方向に沿って傾けられた磁界方向がコピーのためには好ましいことが示されている。それ故磁気ヘッド１２は、磁区を前記読み出し層にコピーするための分離した「凝集」パルスを生成するため、二重パルス構成として構成されても良い。この付加的な磁気パルスの生成は、ヘッド駆動ユニット１４によって制御されることができる。ここで前記付加的な安定レベルの導入は、再生調節回路２０において、即ちアナログ又はデジタルのタイマー機能によって制御され得る対応するレベル切り換え回路によって実行される。
【００３３】
かくして、図５に示されるように、パルス型及び好適に傾けられたコピー磁界Ｈｅｘｔ，１が前記読み出し層に前記マークをコピーするために印加され、一方好適に垂直な磁界Ｈｅｘｔ，２が前記読み出し層中の磁区を拡大、安定及び崩壊するために利用される。
【００３４】
第２及び第３の実施例において説明された前記外部磁界の分離されたコピー／拡大及び安定機能は、他の信号波形によって実装されても良いことは留意されるべきである。実際には、前記パルスの勾配は図に示されるように無限に急ではなく、磁気ヘッド１２のコイルの自己インダクタンスのため、有限の立ち上がり時間を持つ。前記拡大／安定の組み合わせを実装する一方法は、前記コピー／拡大レベルから前記安定レベルへ幾分指数関数的に減少する強度のような、連続的に減少する強度を持つパルスの形を利用することであり得る。他の実装は、コピー及び拡大に十分なスイッチオンの後のオーバーシュートを伴う拡大／安定パルスの利用であり得る。
【００３５】
更に、前記好適な実施例の実装は、適切な磁界パルスを生成し、かくしてより良い光学系、スタック設計などから得られる結果を改善するために、磁気ヘッド１２のコイル及びヘッド駆動ユニット１４のハードウェアの変更を必要とし得ることは留意されるべきである。
【００３６】
かくして本発明は、検出時間が増加され、より小さな検出帯域幅が利用されることができるという事実のため、信号−ノイズ比が改善されるという利点を提供する。検出の電子回路への要求及びそれ故コストが、かくして減少される。
【００３７】
本発明は、前記読み出し層における磁区を拡大及び崩壊するために交番する外部磁界が印加される磁区拡大記録媒体のためのいずれの読み出しシステムにも適用されることができる。従って、前記好適な実施例は添付する請求項の範囲内で変化しても良い。
【図面の簡単な説明】
【００３８】
【図１】好適な実施例による光磁気ディスクプレイヤの図を示す。
【図２（Ａ）】外部磁界の５０％のデューティサイクルを用いた既知の読み出し戦略についての信号図を示す。
【図２（Ｂ）】第１の好適な実施例による、外部磁界の拡大方向について５０％以上のデューティサイクルを用いた読み出し戦略についての信号図を示す。
【図３】第２の好適な実施例による、３つの異なるレベルを持つ外部磁界を用いた読み出し戦略を示す。
【図４】導入される空白領域によって後続される減少されたマーク領域が利用される、第２の好適な実施例による読み出し戦略を示す。
【図５】付加的な磁気コピーパルスが利用される、第３の好適な実施例による読み出し戦略を示す。
【図１】
2004522251.tif 000003
【図２（Ａ）】
2004522251.tif 000004
【図２（Ｂ）】
2004522251.tif 000005
【図３】
2004522251.tif 000006
【図４】
2004522251.tif 000007
【図５】
2004522251.tif 000008
【国際公開パンフレット】
2004522251.tif 000009
2004522251.tif 000010
2004522251.tif 000011
2004522251.tif 000012
2004522251.tif 000013
2004522251.tif 000014
2004522251.tif 000015
2004522251.tif 000016
2004522251.tif 000017
2004522251.tif 000018
2004522251.tif 000019
2004522251.tif 000020
2004522251.tif 000021
2004522251.tif 000022
2004522251.tif 000023
2004522251.tif 000024
2004522251.tif 000025
【国際調査報告】
2004522251.tif 000026
2004522251.tif 000027